(57)【要約】【課題】  本願は、負圧・正圧等に強く、汎用性のある屋根上設置物の取り付け構造を提供することを目的とする。【解決手段】  本願の屋根上設置物の取り付け構造は、山部と谷部を有する屋根への屋根上設置物の取り付け構造である。固定部材は、底面と立面を有する。その立面は、底面側に向かって広がる傾斜辺を有している。その傾斜辺の下端縁に被嵌合部が形成されている。支持部材は、上面と、その両端縁が折り下げられた側面を有する略門形をしている。また、支持部材の側面下端縁よりも上方に嵌合部を有している。屋根上設置物が取り付けられるときに、固定部材は、立面が流れ方向に面し、被嵌合部が山部の両側から突出するように、底面が山部に固定される。支持部材は、嵌合部が固定部材の被嵌合部に嵌合される。そして、屋根上設置物がその支持部材に取り付けられる。【選択図】図５
2014214483.tif 000002
【特許請求の範囲】
【請求項１】
山部と谷部を有する屋根への屋根上設置物の取り付け構造であって、
固定部材は、
底面と立面を有し、
該立面は、
底面側に向かって広がる傾斜辺を有しており、
該傾斜辺の下端縁に被嵌合部が形成されており、
支持部材は、
上面と、
その両端縁が折り下げられた側面を有する略門形をしており、
側面下端縁よりも上方に嵌合部を有しており、
屋根上設置物が取り付けられるときに、
前記固定部材は、
立面が流れ方向に面し、
被嵌合部が山部の両側から突出するように、
底面が山部に固定され、
前記支持部材は、
前記嵌合部が前記固定部材の被嵌合部に嵌合され、
屋根上設置物が前記支持部材に取り付けられる
屋根上設置物の取り付け構造。
【発明の詳細な説明】
【技術分野】
【０００１】
本願は、太陽光発電パネル等の屋根上設置物の取り付け構造に関するものである。
【背景技術】
【０００２】
従来技術について、図７及び図８で説明する。
【０００３】
図７は、実用新案登録第２５４６５２５号公報で公開されている技術である。これは、重ね形折板屋根の改修構造に関し、吊子とキャップを使用する。吊子には、平面部と、折板の上底に吊子固定具にて固着するために平面部に形成された孔と、前記平面部の両端から立ち上げられた立上げ部と、それぞれの立上げ部から前記平面部と平行に外側方向に折り曲げられキャップが支持される支持部と、該支持部から斜め下向きに外側方向に折り曲げられた腕部とが形成されている。一方、キャップは、断面略台形に形成され上面は平面状となっており、既存の重ね形折板の上底に、前記吊子が固着され、該吊子にキャップが嵌合されることを特徴とする。
【０００４】
そして、効果欄に「吊子にキャップを嵌合するので、簡単かつ容易に、そして確実に改修することができる。また、その構成部品についても主に吊子とキャップと吊子を固定する吊子固定具だけなので、安価に施工することが可能である。さらに、キャップは折板同士を緊結している部分を略覆うように形成されているので、緊結している部分、例えば緊結ボルトを挿した箇所から雨水等が内部に侵入しなくなる。」といったことが記載されている。
【０００５】
図８は、特開２０１０−２４６７８号公報で公開されている支持架台及び外装構造に関する技術である。流れ方向に嵌合部を有する縦葺き外装構造に、支持架台を嵌合させて固定する。支持架台を流れ方向に連続する長尺材とした場合には、キャップ材を兼ねることができる。
【先行技術文献】
【特許文献】
【０００６】
【特許文献１】実用新案第２５４６５２５号公報
【特許文献２】特開２０１０−２４６７８号公報
【発明の概要】
【発明が解決しようとする課題】
【０００７】
図７に示した吊子は、キャップ吊子として使用する場合、強度上の問題はない。しかし、それを応用して、支持架台を止める固定部材として、その上に太陽光発電パネル等の風の影響を受けやすい屋根上設置物や、重量のある屋根上設置物を取り付けた場合、変形しやすい。これは、図７に示した吊子では、腕部の板厚方向に荷重が掛かるからである。そのため、嵌合が緩んだり、外れたりする可能性があった。たとえば、負圧により支持部と腕部の角度が開いてしまうと、嵌合が外れてしまう可能性があった。逆に、正圧により支持部と腕部の角度が閉じてしまうと、屋根の流れ方向に掛かる滑り荷重に弱くなり、屋根上設置物が軒下に落下する危険性があった。
【０００８】
図８に示したキャップ材兼支持架台は、流れ方向に嵌合部を有する縦葺き外装構造に取り付ける。そのため、その嵌合部の形状・サイズに合わせる必要があり、汎用性がなかった。その結果、形状・サイズのバリエーションを増やす、または取り付ける縦葺き外装構造の形状・サイズに合わせてその都度加工する必要があり、コスト増大を招いていた。
【０００９】
本願は、負圧・正圧等に強く、汎用性のある屋根上設置物の取り付け構造を提供することを目的とする。
【課題を解決するための手段】
【００１０】
本願の屋根上設置物の取り付け構造は、山部と谷部を有する屋根への屋根上設置物の取り付け構造である。本願にて用いる固定部材は、底面と立面を有する。その立面は、底面側に向かって広がる傾斜辺を有している。その傾斜辺の下端縁に被嵌合部が形成されている。本願にて用いる支持部材は、上面と、その両端縁が折り下げられた側面を有する略門形をしている。また、支持部材の側面下端縁よりも上方に嵌合部を有している。屋根上設置物が山部に取り付けられるときに、固定部材は、立面が流れ方向に面し、被嵌合部が山部の両側から突出するように、底面が山部に固定される。支持部材は、嵌合部が固定部材の被嵌合部に嵌合される。そして、屋根上設置物がその支持部材に取り付けられる。
【発明の効果】
【００１１】
本願の屋根上設置物の取り付け構造は、強度が高い。本願の場合には、屋根上設置物に負圧・正圧が掛かったとき、固定部材の底面を変形させるような荷重が掛かるが、立面が底面の変形を防ぐ補強面の役割を果たすからである。そのため、負圧・正圧により固定部材の底面が変形することがないので、支持部材の嵌合状態に影響を与えることがない。
【００１２】
また、本願の屋根上設置物の取り付け構造は、固定部材に支持部材を嵌合によって取り付ける構造である。そのため、それらを止着する止着具等が不要であり、コストが低い構成である。また、固定部材は立面の下端縁（被嵌合部）が山部の両側から突出する幅であればよいので、対応できる山幅の範囲が広い。したがって、汎用性のある屋根上設置物の取り付け構造である。
【図面の簡単な説明】
【００１３】
【図１】本願の屋根上設置物の取り付け構造に用いる固定部材の実施例を示す説明図である。
【図２】本願の屋根上設置物の取り付け構造に用いる固定部材の実施例（図１に示したもの以外）を示す説明図である。
【図３】本願の屋根上設置物の取り付け構造に用いる支持部材の実施例を示す説明図である。
【図４】本願の屋根上設置物の取り付け構造に用いる支持部材の実施例（図３に示したもの以外）を示す説明図である。
【図５】本願の屋根上設置物の取り付け構造の実施例を示す説明図である。
【図６】本願の屋根上設置物の取り付け構造の実施例を示す説明図である。
【図７】従来技術の説明図である。
【図８】従来技術の説明図である。
【実施例】
【００１４】
本願の屋根上設置物の取り付け構造について、図１から図６までにより説明する。なお、本願において屋根上設置物とは、太陽光発電パネル等を指し、さらにそれらを取り付けるための部材等も含む。
【００１５】
図１は、本願の屋根上設置物の取り付け構造に用いる固定部材の一例である。図２は、本願の屋根上設置物の取り付け構造に用いる固定部材の例であり、図１に示したもの以外のものである。図３は、本願の屋根上設置物の取り付け構造に用いる支持部材の一例であり、端部近傍の斜視図である。図４は、本願の屋根上設置物の取り付け構造に用いる支持部材の例（図３に示したもの以外）であり、端部近傍の斜視図である。図５は、図１の固定部材に図４の支持部材を取り付けた説明図であり、流れ方向に平行な方向で見たものである。図６は、図１の固定部材に図４の支持部材及び屋根上設置物を取り付ける説明図であり、流れ方向に直交する方向で見たものである。
【００１６】
まず、図１により、本願の屋根上設置物の取り付け構造に用いる固定部材Ｆを説明する。
【００１７】
本願の屋根上設置物の取り付け構造に用いる固定部材Ｆは、底面１を有する。底面１には、固定部材Ｆを屋根材の山部に固定する際、ワンサイドボルトなどの固定具を挿通する孔１１を形成してもよい。また、その孔１１は、位置調整を可能とするために、長孔とするとよい。
【００１８】
また、本願の屋根上設置物の取り付け構造に用いる固定部材Ｆは、立面２を有している。そして、本実施例の場合には、その立面２は底面１から延出されている。図１の実施例では、底面１の両端縁をそのまま略直角に折り曲げることによって、立面２・２が形成されている。この立面２は、底面１の両端縁でなく、片方の端縁だけに形成されていても良い。この実施例については、図２に基づき後述する。さらに、立面２は、端縁でない箇所への形成や、断面略逆Ｔ字状にすることも可能である。
【００１９】
立面２は、底面１側に向かって広がる傾斜辺２１・２１を有している。この傾斜辺２１・２１は、支持部材が固定部材Ｆに対して上方から押圧されて嵌合する際に、支持部材の嵌合部を沿わせて、開口部分を徐々に開く役割を果たす。そのため、嵌合しやすく、施工性が向上する。
【００２０】
なお、立面２の高さは、固定部材Ｆが取り付けられる屋根材が重ね折板である場合、山部より突出している剣先ボルトよりも高いのが望ましい。そうすることによって、支持部材が固定部材Ｆに嵌められたときに、剣先ボルトが当たることがなく、邪魔にならない。このように、立面２の高さは、固定部材Ｆに嵌合される支持部材に支障のない高さである。
【００２１】
本願の屋根上設置物の取り付け構造に用いる固定部材Ｆは、傾斜辺２１・２１の下端縁２２に被嵌合部２２１・２２１が形成されている。この被嵌合部２２１・２２１間の幅は、屋根材の山部の幅よりも広い。また、図１の実施例では、底面１の両端縁をそのまま略直角に折り曲げることによって、立面２・２が形成されている。したがって、下端縁２２や被嵌合部２２１の高さ位置は、底面の高さ位置と一致している。
【００２２】
図１の実施例では、対向する立面２・２間における被嵌合部２２１・２２１同士を結ぶように、底面１の両端縁が形成されている。このような形状であることによって、支持部材に滑り荷重が掛かった際に、底面１が補強面となり、被嵌合部２２１・２２１が滑り方向に変形することを防止する役割を果たす。
【００２３】
また、固定部材Ｆに対して、支持部材を上方から嵌合させたときに、支持部材を立面２の上端縁２３で支持する状態となることが望ましい。そのような状態となることによって、より正圧に強い構成となる。
【００２４】
なお、立面２の形状は、加工コスト、強度の観点から、図１に示すように略台形であることが望ましい。立面２は、傾斜面を両側に延出させてから内側方向に折り曲げて形成したり、上方に開口する略ハット形の上面を折り下げて形成したりすることもできる。
【００２５】
次に、図２により、本願の屋根上設置物の取り付け構造に用いる固定部材Ｆについて、図１以外の実施例について説明する。図１は断面略倒コ字状であるが、図２のような断面Ｌ字状でもよい。このような固定部材Ｆ・Ｆを２つ組み合わせてもよい。底面１・１が内側に、立面２・２が外側になるように、立面２・２を対向する向きに組み合わせる。そうすることによって、図１の実施例と同様に用いることができる。
【００２６】
これまで述べた通り、固定部材Ｆは、断面略倒コ字状、または断面略Ｌ字状といった単純形状であることが望ましい。このような形状にすることによって、加工が容易である。その結果、コストの低減が図れる。
【００２７】
次に、図３及び図４により、本願の屋根上設置物の取り付け構造における支持部材Ｓについて説明する。
【００２８】
支持部材Ｓは、上面３と、その両端縁が折り下げられた側面４・４を有する。上面３には、図３及び図４の実施例のような止着具の摺動溝３１を形成してもよい。摺動溝３１を形成し、ボルトを組み合わせることによって、支持部材Ｓ上の任意の位置に屋根上設置物を取り付けることができる。側面４・４は、本実施例では略直角に垂下する形状である。ただし、側面４・４は、上面３の両端縁が折り下げられた形状であればよく、略直角でない角度で折り下げてもよいし、折り曲げ箇所を設けたり、曲面であってもよい。
【００２９】
図３及び図４の支持部材Ｓは、下方を開口する略門形をしており、側面下端縁４２・４２よりも上方に嵌合部４１・４１を有している。本実施例においては、嵌合部４１・４１が、側面４・４の内側に形成されている。そのため、支持部材Ｓは、固定部材及び屋根材の山部を内包させ、それらを覆うように取り付けられる。そうすることによって、固定部材を固定した部分に浸水することがなくなり、雨漏りの恐れがなくなる。
【００３０】
側面下端縁４２・４２は、図４のように外側に折り返して、水返しする形状にしてもよい。このように、側面下端縁４２・４２の形状は問わず、固定部材に支持部材Ｓを嵌合したときに、固定部材を屋根材の山部に止着した箇所よりも、側面下端縁４２・４２が低い位置であればよい。
【００３１】
次に、図５及び図６によって、屋根材Ｒの山部５に固定部材Ｆ、その固定部材Ｆに支持部材Ｓ、支持部材Ｓに屋根上設置物である太陽光発電パネルＰを取り付ける方法について説明する。
【００３２】
屋根材Ｒの山部５に、固定部材Ｆが取り付けられる。このとき、下端縁２２が山部５の両側から突出する。また、本実施例の場合、屋根材Ｒにあらかじめ孔５１をあけておく。この孔５１の位置に固定部材Ｆの底面の孔の位置を合わせて、立面２が流れ方向に面するように、固定部材Ｆを屋根材Ｒの山部５に載置する。そして、固定部材Ｆの底面の孔に向かい、上方からワンサイドボルトＯを挿し込んで、締め付ける。こうして、固定部材Ｆを屋根材Ｒの山部５に固定する。本実施例のように、ワンサイドボルトＯを使用すると、屋根面側からの作業のみで取り付けることが可能である。
【００３３】
屋根材Ｒの山部５に、固定部材Ｆを固定する際、それらの間に止水材を挟んでもよい。止水材を用いることによって、雨漏りのリスクを低減させることができる。
【００３４】
また、本実施例のようなワンサイドボルトＯでない手段によって、固定部材Ｆを屋根材Ｒの山部５に固定してもよい。たとえば、両面テープ等によって固定してもよい。この場合、屋根材Ｒにも固定部材Ｆにも孔を形成する必要はない。そうすることによって、雨漏りのリスクをさらに低減させることができる。
【００３５】
複数の固定部材Ｆは、屋根材Ｒの流れ方向に所定の間隔で固定していく。このとき、荷重をある程度均等に分散させるために、固定部材Ｆ・Ｆ同士の間隔は等間隔であることが望ましい。ただし、重ね折板のように屋根面上に突設している剣先ボルト６等がある場合、その部分を避けて固定してもよい。本願は、固定部材Ｆと、支持部材Ｓとを嵌合させる構造なので、それらを任意の位置で組み合わせることができるためである。
【００３６】
本実施例では、屋根材Ｒの流れ方向に並べられた複数の固定部材Ｆに対して、上方から掛け渡すように支持部材Ｓを嵌合させる。なお、本願は、支持部材Ｓに組み合わせる固定部材Ｆの数量は問わない。たとえば、１つの支持部材Ｓに組み合わせる固定部材Ｆの数量は、１つであってもよいし、２つ以上であってもよい。屋根上設置物や支持部材Ｓの種類や用途、必要な強度などに合わせて、自由に設定してよい。
【００３７】
支持部材Ｓは、固定部材Ｆに嵌合させて取り付ける。したがって、支持部材Ｓを固定部材Ｆに止着するための止着具などが不要である。そのため、支持部材Ｓに対して止着具の挿通孔の穿孔加工等も不要である。
【００３８】
固定部材Ｆに支持部材Ｓを嵌合させた場合、その支持部材Ｓに屋根上設置物を取り付ける。本実施例では、屋根上設置物である太陽光発電パネルＰを取り付けている。支持部材Ｓを固定部材Ｆに嵌合させて、太陽光発電パネルＰを取り付ける前に、支持部材Ｓの流れ方向端部に止水カバー等の止水処理を施してもよい。そうすることによって、固定部材Ｆの止着箇所に浸水する可能性をさらに低減させることが可能である。
【００３９】
支持部材Ｓの上面３に摺動溝３１を形成させた場合は、その摺動溝３１にボルトＢなどの取り付け具を摺動自在に組み合わせ、太陽光発電パネルＰ等の屋根上設置物を取り付けるのに使用することができる。本実施例においては、ボルトＢを立設させている。この場合、そのボルトＢに、押え部材ＨをナットＮで締め付け固定することによって、太陽光発電パネルＰ等の屋根上設置物を挟持固定させることもできる。
【符号の説明】
【００４０】
Ｆ      固定部材
１      底面
１１    孔
２      立面
２１    傾斜辺
２２    下端縁
２２１  被嵌合部
２３    上端縁
Ｏ      ワンサイドボルト
Ｓ      支持部材
３      上面
３１    摺動溝
４      側面
４１    嵌合部
４２    側面下端縁
Ｒ      屋根材
５      山部
５１    孔
６      剣先ボルト
Ｂ      ボルト
Ｎ      ナット
Ｈ      押え部材
Ｐ      太陽光発電パネル
【図１】
2014214483.tif 000003
【図２】
2014214483.tif 000004
【図３】
2014214483.tif 000005
【図４】
2014214483.tif 000006
【図５】
2014214483.tif 000007
【図６】
2014214483.tif 000008
【図７】
2014214483.tif 000009
【図８】
2014214483.tif 000010